(57)【要約】      （修正有）【課題】猪の駆除に対する労力を軽減させることができる猪駆除装置を提供する。【解決手段】使用者が把持可能な把持部２と、猪の鼻を括ることが可能な括り器３と、猪を殺処分可能な刃物と、を有し、括り器は、把持部に着脱自在に取り付け可能であり、刃物も、把持部に着脱自在に取り付け可能である。把持部と括り器と刃物を、かご等に入れて山奥に持参することができる。括り器は、筒状の括り器本体と、括り器本体の上面側に設けられる天板と、括り器本体の外周面３０ａに係止めされた括り輪３４と、天板に取り付けられ、括り輪が載置可能なフック部と、括り輪に縮径力を付勢する付勢手段３５と、を有し、天板は、猪が突進すると括り器本体内に傾動し、フック部は、天板が傾動すると括り輪を括り器本体の外周面から離脱させ、括り輪は、付勢手段により縮径され猪の鼻を括る。【選択図】図１
0003226706.tif 000002
【実用新案登録請求の範囲】
【請求項１】
使用者が把持可能な把持部と、
猪の鼻を括ることが可能な括り器と、
前記猪を殺処分可能な刃物と、を有し、
前記括り器は、前記把持部に着脱自在に取り付け可能であり、
前記刃物は、前記把持部に着脱自在に取り付け可能である猪駆除装置。
【請求項２】
前記括り器は、
筒状の括り器本体と、
前記括り器本体の上面側に設けられる天板と、
括り器本体の外周面に係止めされた括り輪と、
前記天板に取り付けられ、前記括り輪が載置可能なフック部と、
前記括り輪に縮径力を付勢する付勢手段と、を有し、
前記天板は、該天板に向かって前記猪が突進すると、前記括り器本体内に傾動し、
前記フック部は、前記天板が傾動すると、前記括り輪を前記括り器本体の外周面から離脱させるようにし、
前記括り輪は、前記括り器本体の外周面から離脱すると、前記付勢手段により、前記括り輪が縮径され、もって、該猪の鼻を括ってなる請求項１に記載の猪駆除装置。
【請求項３】
前記括り器は、
前記天板が傾動可能なように該天板を支持する支持部をさらに有してなる請求項２に記載の猪駆除装置。
【考案の詳細な説明】
【技術分野】
【０００１】
本考案は、猪を捕獲及び殺処分することができる猪駆除装置に関する。
【背景技術】
【０００２】
近年、猪による農林業の被害が急増し、山間地では猪による被害を避けるため田畑に防護柵を巡らせているが、防護柵の設置には労力と費用が嵩むうえ、万全とはいえず、山間地では耕作放棄にまで追い込まれている農家があるのが現状である。
【０００３】
猪の駆除対策としては、銃による狩猟、括り罠や、柵や檻を設置したりして、猪の捕獲が行われている。括り罠は、獣道に、ワイヤなどによって形成された括り輪を設置し、猪の足が入り込むと、括り輪がしまって猪の足を捕縛するように構成されている（例えば、特許文献１参照）。一方、檻や柵は、金属や木製等で一定の場所を囲い、この中に餌等を置き、猪を誘き寄せて、捕獲するように構成されている（例えば、特許文献２参照）。
【先行技術文献】
【特許文献】
【０００４】
【特許文献１】特開２０１３−４６５７５号公報
【特許文献２】実用新案登録第３１７０８５５号公報
【考案の概要】
【考案が解決しようとする課題】
【０００５】
ところで、上記のような括り罠や、檻や柵を使用して捕獲した猪は、最終的に、殺処分することとなる。このような殺処分にあたっては、使用者に危険が及ばないように長尺状の刃物を用いて殺処分することとなる。そのため、猪の駆除にあたっては、このような長尺状の刃物と一緒に、上記括り罠や檻や柵を、長尺状の刃物が人に当たらないようする等安全性を考慮しながら山奥まで持参しなければならず、非常に労力がかかるという問題があった。
【０００６】
そこで、本考案は、上記問題に鑑み、猪の駆除に対する労力を軽減させることができる猪駆除装置を提供することを目的としている。
【課題を解決するための手段】
【０００７】
上記本考案の目的は、以下の手段によって達成される。なお、括弧内は、後述する実施形態の参照符号を付したものであるが、本考案はこれに限定されるものではない。
【０００８】
請求項１の猪駆除装置によれば、使用者が把持可能な把持部（例えば、図１に示す把持部２）と、
猪（例えば、図４に示す猪Ｉ）の鼻（例えば、図４に示す猪Ｉの鼻Ｉａ）を括ることが可能な括り器（例えば、図１に示す括り器３）と、
前記猪（例えば、図４に示す猪Ｉ）を殺処分可能な刃物（例えば、図５に示す刃物８）と、を有し、
前記括り器（例えば、図１に示す括り器３）は、前記把持部（例えば、図１に示す把持部２）に着脱自在に取り付け可能であり、
前記刃物（例えば、図５に示す刃物８）は、前記把持部（例えば、図１に示す把持部２）に着脱自在に取り付け可能であることを特徴としている。
【０００９】
また、請求項２の考案によれば、上記請求項１に記載の猪駆除装置において、前記括り器（例えば、図１に示す括り器３）は、
筒状の括り器本体（例えば、図２に示す括り器本体３０）と、
前記括り器本体（例えば、図２に示す括り器本体３０）の上面（例えば、図２に示す上面３０ｂ）側に設けられる天板（例えば、図２に示す天板３２）と、
括り器本体（例えば、図２に示す括り器本体３０）の外周面（例えば、図２に示す外周面３０ａ）に係止めされた括り輪（例えば、図２に示す括り輪３４）と、
前記天板（例えば、図２に示す天板３２）に取り付けられ、前記括り輪（例えば、図２に示す括り輪３４）が載置可能なフック部（例えば、図２に示すフック部３３）と、
前記括り輪（例えば、図２に示す括り輪３４）に縮径力を付勢する付勢手段（例えば、図２に示す付勢部材３５）と、を有し、
前記天板（例えば、図２に示す天板３２）は、該天板（例えば、図２に示す天板３２）に向かって前記猪（例えば、図４に示す猪Ｉ）が突進すると、前記括り器本体（例えば、図２に示す括り器本体３０）内に傾動し、
前記フック部（例えば、図２に示すフック部３３）は、前記天板（例えば、図２に示す天板３２）が傾動すると、前記括り輪（例えば、図２に示す括り輪３４）を前記括り器本体（例えば、図２に示す括り器本体３０）の外周面（例えば、図２に示す外周面３０ａ）から離脱させるようにし、
前記括り輪（例えば、図２に示す括り輪３４）は、前記括り器本体（例えば、図２に示す括り器本体３０）の外周面（例えば、図２に示す外周面３０ａ）から離脱すると、前記付勢手段（例えば、図２に示す付勢部材３５）により、前記括り輪（例えば、図２に示す括り輪３４）が縮径され、もって、該猪（例えば、図４に示す猪Ｉ）の鼻（例えば、図４に示す猪Ｉの鼻Ｉａ）を括ってなることを特徴としている。
【００１０】
さらに、請求項３の考案によれば、上記請求項２に記載の猪駆除装置において、前記括り器（例えば、図１に示す括り器３）は、
前記天板（例えば、図２に示す天板３２）が傾動可能なように該天板（例えば、図２に示す天板３２）を支持する支持部（例えば、図２に示す支持部４）をさらに有してなることを特徴としている。
【考案の効果】
【００１１】
次に、本考案の効果について、図面の参照符号を付して説明する。なお、括弧内は、後述する実施形態の参照符号を付したものであるが、本考案はこれに限定されるものではない。
【００１２】
請求項１の考案によれば、使用者が把持可能な把持部（例えば、図１に示す把持部２）に対して、猪（例えば、図４に示す猪Ｉ）の鼻（例えば、図４に示す猪Ｉの鼻Ｉａ）を括ることが可能な括り器（例えば、図１に示す括り器３）と、猪（例えば、図４に示す猪Ｉ）を殺処分可能な刃物（例えば、図５に示す刃物８）とを着脱自在に取り付け可能であるから、括り器（例えば、図１に示す括り器３）や刃物（例えば、図５に示す刃物８）を、かご等に入れて山奥に持参することが可能となる。これにより、本発明によれば、従来のように安全性を考慮しながら、括り器（例えば、図１に示す括り器３）や刃物（例えば、図５に示す刃物８）を山奥まで持参する必要がなくなり、もって、猪の駆除に対する労力を軽減させることができる。
【００１３】
また、請求項２の考案によれば、天板（例えば、図２に示す天板３２）に向かって猪（例えば、図４に示す猪Ｉ）が突進すると、該天板（例えば、図２に示す天板３２）が括り器本体（例えば、図２に示す括り器本体３０）内に傾動し、天板（例えば、図２に示す天板３２）が傾動すると、フック部（例えば、図２に示すフック部３３）が、括り輪（例えば、図２に示す括り輪３４）を括り器本体（例えば、図２に示す括り器本体３０）の外周面（例えば、図２に示す外周面３０ａ）から離脱させるようにし、括り輪（例えば、図２に示す括り輪３４）が、括り器本体（例えば、図２に示す括り器本体３０）の外周面（例えば、図２に示す外周面３０ａ）から離脱すると、付勢手段（例えば、図２に示す付勢部材３５）により、括り輪（例えば、図２に示す括り輪３４）が縮径され、もって、その縮径された括り輪（例えば、図２に示す括り輪３４）が猪（例えば、図４に示す猪Ｉ）の鼻（例えば、図４に示す猪Ｉの鼻Ｉａ）を括ることとなる。これにより、簡単容易に、猪の鼻を括り輪にて括ることが可能となる。
【００１４】
さらに、請求項３の考案によれば、天板（例えば、図２に示す天板３２）が傾動可能なように該天板（例えば、図２に示す天板３２）を支持部（例えば、図２に示す支持部４）にて支持しているから、猪が天板に向かって突進してくる前に、天板が傾動してしまうという事態を低減させることができる。
【図面の簡単な説明】
【００１５】
【図１】本考案の一実施形態に係る猪駆除装置であって、把持部に括り器を取り付けようとしている状態を示す分解斜視図である。
【図２】同実施形態に係る括り器を正面上方からみた斜視図である。
【図３】同実施形態に係る括り輪が括り器本体から離脱する状態を説明する説明図であって、（ａ）は、同実施形態に係る天板が傾動することを説明し、（ｂ）は、括り輪が縮径している状態を説明する説明図である。
【図４】猪の鼻に括り輪が括られている状態を示す斜視図である。
【図５】同実施形態に係る猪駆除装置であって、把持部に刃物を取り付けようとしている状態を示す分解斜視図である。
【考案を実施するための形態】
【００１６】
以下、本考案の一実施形態を、図面を参照して具体的に説明する。なお、以下の説明において、上下左右の方向を示す場合は、図示正面から見た場合の上下左右をいうものとする。
【００１７】
＜猪駆除装置の説明＞
図１に示す本実施形態に係る猪駆除装置１は、使用者が把持可能な把持部２と、猪Ｉ（図４参照）の鼻Ｉａ（図４参照）を括ることが可能な括り器３と、で構成されている。一方、本実施形態に係る猪駆除装置１は、図５に示すように、使用者が把持可能な把持部２と、猪Ｉ（図４参照）を殺処分可能な刃物８とでも、構成される。以下、各構成について詳しく説明することとする。
【００１８】
＜把持部の説明＞
把持部２は、図１に示すように、長尺状の鉄等のパイプで形成されており、先端部２ａには、ねじ部が刻設されている。
【００１９】
＜括り器の説明＞
括り器３は、図１及び図２に示すように、括り器本体３０と、支持部３１と、天板３２と、フック部３３と、括り輪３４と、付勢部材３５と、で主に構成されている。括り器本体３０は、図２に示すように、円筒状に形成され、金属や樹脂等で形成されている。そして、支持部３１は、図１に示すように、括り器本体３０を支持するもので、支持片３１ａと、支持棒３１ｂと、で構成されている。支持片３１ａは、図１に示すように、略矩形状に形成され、括り器本体３０の外周面３０ａに、所定間隔を置いて、複数（図示では、３個）、先端部３１ａ１がビスＢ等によって取り付け固定されている。そして、支持棒３１ｂは、短尺状の鉄等のパイプで形成されており、図１に示すように、この支持棒３１ｂの先端部３１ｂ１に、支持片３１ａの基端部３１ａ２が溶接等により取り付け固定されている。そしてさらに、この支持棒３１ｂの基端部３１ｂ２内部には、図示しないねじ部が刻設されており、把持部２の先端部２ａに刻設されているねじ部と螺合できるようになっている。これにより、括り器３は、把持部２に対し、着脱自在に取り付け可能となる。
【００２０】
一方、天板３２は、図２に示すように、透明な厚板円形状に形成されており、括り器本体３０の内径よりも小径に形成されている。そして、このように形成される天板３２は、括り器本体３０の内径よりも小径に形成されていることから、図３（ａ）に示すように、矢印Ｙ１方向に傾動、すなわち、括り器本体３０内に傾動できるようになっている。そしてさらに、このように形成される天板３２は、図２に示すように、括り器本体３０より突出して設けられている爪楊枝等の支持部４によって傾動可能に支持されている。これにより、括り器本体３０の上面３０ｂ側に設けられることとなる。
【００２１】
一方、フック部３３は、図２に示すように、板状のフック部本体３３ａと、フック部本体３３ａの先端部３３ａ１に一体的に設けられているフック３３ｂと、で構成されている。フック部本体３３ａは、図２及び図３（ａ）に示すように、天板３２の直径方向に沿って、天板３２に一体的に取り付け固定されている。そして、フック３３ｂは、括り器本体３０の上面３０ｂ側の一端に形成されている凹部３０ｃ内に載置され、括り輪３４が上面に載置できるようになっている。
【００２２】
一方、括り輪３４は、ワイヤ等で形成されており、図２に示すように、括り器本体３０の外周面３０ａに、係止めされた状態で、フック３３ｂの上面に載置される。そして、括り輪３４の一端部３４ａは、図２及び図３に示すように、略板状の取付片５に設けられている円形状の孔５ａ内に挿通され、その孔５ａ内から抜け出ないようになっている。一方、括り輪３４の他端部３４ｂは、図２及び図３に示すように、取付片５に設けられている長孔５ｂ内に挿抜可能なように挿通され、付勢部材３５を通って、支持棒３１ｂ側に延設されている（図１も参照）。なお、取付片５は、図２に示すように、括り器本体３０の上面３０ｂ側の他端に形成されている凹部３０ｄ内に載置される。
【００２３】
一方、付勢部材３５は、図３（ｂ）に示すように、円筒状の内筒３５ａと、コイルバネ３５ｂと、円筒状の外筒３５ｃと、で構成されている。この内筒３５ａは、樹脂等で形成されており、内部に、括り輪３４の他端部３４ｂが挿抜可能なように挿通され、括り輪３４の他端部３４ｂの外周を覆うようにコイルバネ３５ｂが設けられている。そして、外筒３５ｃは、樹脂等で形成されており、内部に、括り輪３４の他端部３４ｂが挿抜可能なように挿通され、括り輪３４の他端部３４ｂの外周を覆うようにコイルバネ３５ｂが設けられている。しかして、このような外筒３５ｃ内には、内筒３５ａが収納できるようになっており、この収納にあたって、コイルバネ３５ｂが伸張しようとする力に抗してコイルバネ３５ｂを圧縮させながら収納することとなる。これにより、図１、図２、図３（ａ）に示すように、内筒３５ａが外筒３５ｃ内に収納されることとなる。この際、図１、図２、図３（ａ）に示すように、内筒３５ａが外筒３５ｃ内に収納された位置で仮止めできるように、外筒３５ｃの下端部３５ｃ１には、仮止め部６が設けられている。この仮止め部６は、括り輪３４の他端部３４ｂが挿抜可能な円筒状の仮止め部本体６０と、その仮止め部本体６０の外側面一端側に設けられた蝶番ねじ６１と、で構成されている。しかして、この蝶番ねじ６１をねじ止めすることにより、蝶番ねじ６１と、仮止め部本体６０の内周面とによって、括り輪３４の他端部３４ｂが密着されることとなるから、仮止め部本体６０内を括り輪３４の他端部３４ｂが移動できなくなる。これにより、仮止め部６がその位置に固定されることとなり、もって、内筒３５ａが外筒３５ｃ内に収納された位置で仮止めできることとなる。なお、付勢部材３５は、図１及び図２に示すように、図示右側に設けられている支持片３１ａに取り付け固定されている一対の矩形状の保持片７（図示では１個のみ図示）内に挿入され固定されることとなる。
【００２４】
一方、コイルバネ３５ｂは、括り輪３４に対し、縮径力を付勢するためのものであるが、括り輪３４は、括り器本体３０の外周面３０ａに係止めされているから、コイルバネ３５ｂによる縮径力が押さえられている。
【００２５】
＜刃物の説明＞
刃物８は、図５に示すように、猪Ｉ（図４参照）を殺処分可能なように、先端部８ａが鋭利な刃部になっている。そして、図５に示すように、刃物８の基端部８ｂは、図示しないねじ部が刻設されており、把持部２の先端部２ａに刻設されているねじ部と螺合できるようになっている。これにより、刃物８は、把持部２に対し、着脱自在に取り付け可能となる。
【００２６】
＜猪駆除装置の一使用例の説明＞
かくして、上記のように構成される猪駆除装置１は、次のように使用される。すなわち、図１に示すような括り器３を把持部２に取り付け、猪駆除装置１を作製する。この状態で、使用者は、把持部２を把持し、括り器３の天板３２を、例えば、括り罠にて足が捕縛されている猪Ｉ（図４参照）の鼻Ｉａに近づける。この際、括り罠にて足が捕縛されている猪Ｉ（図４参照）は、捕縛から抜け出そうと暴れまわっており、天板３２が透明であることから、猪Ｉ（図４参照）は、天板３２に映し出された猪Ｉ（図４参照）自身に向かって突進してくることとなる。これにより、天板３２が、図３（ａ）に示すように矢印Ｙ１方向に傾動することとなるから、それに伴い、フック３３ｂも矢印Ｙ１方向に傾動することとなる。しかして、フック３３ｂの上面に載置されている括り輪３４は、フック３３ｂの傾動によって、跳ね上げられ、もって、図２に示す矢印Ｙ２方向に移動し、括り器本体３０の外周面３０ａから離脱することとなる。これにより、括り輪３４が括り器本体３０の外周面３０ａに係止めされていたことによって生じていた縮径力の押さえがなくなったため、コイルバネ３５ｂが、図３（ｂ）に示すように矢印Ｙ３方向に移動、すなわち、伸長することとなる。この際、コイルバネ３５ｂの伸長によって、括り輪３４に対する縮径力が付勢され、跳ね上げられた括り輪３４が縮径することとなるから、図４に示すように、猪Ｉの急所である鼻Ｉａを括り輪３４にて括ることができることとなる。なお、コイルバネ３５ｂが伸長することによるバネ力により、内筒３５ａも、括り輪３４と共に、図２に示す矢印Ｙ２方向に移動することとなる。これにより、付勢部材３５は、一対の矩形状の保持片７（図示では１個のみ図示）内より離脱されることとなる。
【００２７】
次いで、猪Ｉの急所である鼻Ｉａを括り輪３４にて括ることにより、大人しくなった猪Ｉを殺処分するため、括り輪３４及び付勢部材３５が無くなった括り器３を、把持部２から取り外し、図５に示すように、把持部２に刃物８を取り付け、猪駆除装置１を作製する。そして、把持部２に取り付けられた刃物８を用いて、猪Ｉを殺処分することとなる。
【００２８】
しかして、以上説明した本実施形態によれば、猪駆除装置１は、使用者が把持可能な把持部２に対して、猪Ｉの鼻Ｉａを括ることが可能な括り器３と、猪Ｉの殺処分が可能な刃物８とを、着脱自在に取り付け可能であるから、括り器３や刃物８を、かご等に入れて山奥に持参することが可能となる。これにより、本実施形態によれば、従来のように安全性を考慮しながら、括り器３や刃物８を山奥まで持参する必要がなくなり、もって、猪の駆除に対する労力を軽減させることができる。
【００２９】
また、本実施形態によれば、天板３２に向かって猪Ｉが突進すると、天板３２が括り器本体３０内に傾動し、天板３２が傾動すると、フック部３３が括り輪３４を括り器本体３０の外周面３０ａから離脱させるようにし、括り輪３４が、括り器本体３０の外周面３０ａから離脱すると、付勢部材３５により、括り輪３４が縮径され、もって、縮径された括り輪３４にて、猪Ｉの鼻Ｉａが括られることとなる。これにより、簡単容易に、猪Ｉの鼻Ｉａを括り輪３４にて括ることが可能となる。
【００３０】
さらに、本実施形態によれば、支持部４によって天板３２を傾動可能に支持しているから、猪Ｉが天板３２に向かって突進してくる前に、天板３２が傾動してしまうという事態を低減させることができる。
【００３１】
なお、本実施形態において示した形状等はあくまで一例であり、実用新案登録請求の範囲内において、種々の変形・変更が可能である。例えば、把持部２、括り器３、刃物８の形状はあくまで一例であり、どのような形状でも良い。
【符号の説明】
【００３２】
１            猪駆除装置
２            把持部
３            括り器
３０          括り器本体
３０ａ        外周面
３０ｂ        上面
３２          天板
３３          フック部
３４          括り輪
３５          付勢部材（付勢手段）
４            支持部
８            刃物
Ｉ            猪
Ｉａ          鼻
【図１】
0003226706.tif 000003
【図２】
0003226706.tif 000004
【図３】
0003226706.tif 000005
【図４】
0003226706.tif 000006
【図５】
0003226706.tif 000007